【手続補正書】
【提出日】令和2年4月1日(2020.4.1)
【手続補正１】
【補正対象書類名】明細書
【補正対象項目名】００４７
【補正方法】変更
【補正の内容】
【００４７】
当業者であれば、本発明の概念から逸脱することなく、上述した本発明を様々に変更及び修正できることが理解されよう。例えば、ハンドパッドの互いに反対にある各主表面は１つ以上の機能作業表面を含むことができることを認識されたい。すなわち、第１主表面は、異なるクリーニング及び／又は擦り磨き性質を有する２つの別個の領域を含むことができ、第２主表面も、異なるクリーニング及び／又は擦り磨き性質を有する２つの別個の領域を含むことができる。したがって本発明の範囲は、本願に記載の構造に限定されるべきものではなく、特許請求の範囲の文言により述べられる構造及びそうした構造の等価物によってのみ限定されるものである。
なお、以上の各実施形態に加えて以下の態様について付記する。
（付記１）
互いに反対にある第１主表面と第２主表面とを有する基材を備える不織布ハンドパッドであって、前記第１主表面が、第１のクリーニング作用のために構成された第１の機能領域を含み、前記第２主表面が、第２のクリーニング作用及び第３のクリーニング作用のために構成された少なくとも２つの機能領域を含む、不織布ハンドパッド。
（付記２）
第２の機能領域が、第１の擦り磨き機能を有する第１の擦り磨き表面を画定し、第３の機能領域が、第２の擦り磨き機能を有する第２の擦り磨き表面を画定する、付記１に記載の不織布ハンドパッド。
（付記３）
前記第２の機能領域が、連続する研磨表面を含み、前記第３の機能領域が、不連続な研磨表面を含む、付記２に記載の不織布ハンドパッド。
（付記４）
前記不連続な研磨表面が、パターンで配置された、間隔の空いた擦り磨き体のアレイを含む、付記３に記載の不織布ハンドパッド。
（付記５）
前記第２の機能領域が、第１のパターンで配置された、間隔の空いた擦り磨き体の第１のアレイを含み、前記第３の機能領域が、第２のパターンで配置された、間隔の空いた擦り磨き体の第２のアレイを含む、付記２に記載の不織布ハンドパッド。
（付記６）
前記第１主表面が研磨粒子を実質的に含まない、付記５に記載の不織布ハンドパッド。
（付記７）
前記基材が、前記第１の機能領域を画定した第１の不織布材料を含む、付記２に記載の不織布ハンドパッド。
（付記８）
前記第１の不織布材料に固定された不織布バッキング層を更に備える、付記７に記載の不織布ハンドパッド。
（付記９）
前記不織布バッキング層が、発泡体材料及び繊維状不織布材料のうちの少なくとも１つを含む、付記８に記載の不織布ハンドパッド。
（付記１０）
前記不織布バッキング層が吸収性スポンジ材料を含む、付記９に記載の不織布ハンドパッド。
（付記１１）
前記スポンジ材料が、セルロース材料及びウレタン発泡体材料のうちの少なくとも１つを含む、付記１０に記載の不織布ハンドパッド。
（付記１２）
前記バッキング層が前記基材に積層された、付記８に記載の不織布ハンドパッド。
（付記１３）
前記バッキング層に固定された第２の不織布材料を更に備える、付記８に記載の不織布ハンドパッド。
（付記１４）
前記第１の不織布材料は、連続する研磨表面を有する、開放性で嵩高の繊維状不織布材料であり、前記第２の不織布材料は、準高密度化層を有する繊維状不織布材料であり、前記準高密度化表面層上に間隔の空いた擦り磨き体の第１のアレイが第１のパターンで配置された、付記１３に記載の不織布ハンドパッド。
（付記１５）
前記第１の不織布材料が均質な一体型不織布材料を含む、付記１４に記載の不織布ハンドパッド。
（付記１６）
前記ハンドパッドが対称である、付記１に記載の不織布ハンドパッド。
（付記１７）
前記ハンドパッドが、対称軸に沿って折り畳み可能な第１の部分と第２の部分とを含む、付記１６に記載の不織布ハンドパッド。
（付記１８）
前記ハンドパッドが折り畳まれるとき、前記第１の機能領域、前記第２の機能領域及び前記第３の機能領域のうちの少なくとも１つが隠される、付記１６に記載の不織布ハンドパッド。
（付記１９）
前記ハンドパッドが折り畳まれるとき、同じ主表面上の機能領域のペアが反対方向を向く、付記１６に記載の不織布ハンドパッド。
（付記２０）
互いに反対にある前記第１主表面及び前記第２主表面が概ね平面である、付記１に記載の不織布ハンドパッド。
（付記２１）
前記第１の不織布材料及び前記第２の不織布材料が、同一平面上にある作業表面を含む、付記１４に記載の不織布ハンドパッド。
（付記２２）
前記第１主表面及び前記第２主表面のうちの少なくとも一方の上に研磨粒子を更に備える、付記２１に記載の不織布ハンドパッド。
（付記２３）
弾性的に圧縮可能で、開放性で、嵩高の繊維状不織布材料を備える、付記２２に記載の不織布ハンドパッド。
（付記２４）
前記第１主表面及び前記第２主表面のうちの少なくとも一方が、少なくとも約８平方インチ（ｉｎ２）かつ約７５平方インチ（ｉｎ２）以下の表面積を有する、付記２３に記載の不織布ハンドパッド。
（付記２５）
前記不織布基材が、少なくとも約３ミリメートルかつ約３０ミリメートル以下の厚さを有する、付記２４に記載の不織布ハンドパッド。
（付記２６）
準高密度化繊維層を有する不織布ウェブを更に備え、前記準高密度化繊維層が、前記不織布ウェブと一体であり、かつ前記不織布ウェブの前記第１主表面を提供する外側主表面を含む、付記２３に記載のハンドパッド。
（付記２７）
前記不織布ウェブの前記第１主表面が、間隔の空いた擦り磨き体の第１のアレイを含み、更に、前記第１のアレイの少なくとも選択された擦り磨き体がそれぞれ、前記不織布ウェブの前記第１の準高密度化繊維層内に少なくとも部分的に侵入する内側部分と、前記不織布ウェブの前記第１主表面を超えて外側に突出する外側部分とを含む、付記２６に記載のハンドパッド。
（付記２８）
汚れた表面をクリーニングする方法であって、付記１に記載の前記不織布ハンドパッドを手動で折り畳む工程と、前記ハンドパッドの前記第１主表面及び前記第２主表面のうちの一方の少なくとも一部分を前記汚れた表面に接触させる工程と、前記ハンドパッドの前記第１主表面を前記汚れた表面に接触した状態に維持しながら、前記ハンドパッドを前記汚れた表面に対して手動で動き回す工程と、を含む、方法。
（付記２９）
互いに反対にある第１主表面と第２主表面とを有する発泡体バッキング層であって、前記第１主表面が、研磨粒子を実質的に含まない第１の作業表面を提供する、発泡体バッキング層と、
前記バッキング層第２主表面の一部分に固定された第１の擦り磨き材料であって、繊維状不織布ウェブと前記ウェブの露出した表面上に均等に分散された研磨粒子とを含み、それにより第１の擦り磨き表面を画定した、第１の擦り磨き材料と、
前記第１の擦り磨き材料に隣接する、前記バッキング層の一部分に固定された第２の擦り磨き材料であって、間隔の空いた擦り磨き体のアレイがその上に設けられた準高密度化表面層を含む、露出した研磨表面を有する不織布ウェブを含み、それにより第２の擦り磨き表面を画定した、第２の擦り磨き材料と、
を備える、不織布ハンドパッド。
【手続補正２】
【補正対象書類名】特許請求の範囲
【補正対象項目名】全文
【補正方法】変更
【補正の内容】
【特許請求の範囲】
【請求項１】
互いに反対にある第１主表面と第２主表面とを有する基材を備える不織布ハンドパッドであって、前記第１主表面が、第１のクリーニング作用のために構成された第１の機能領域を含み、前記第２主表面が、第２のクリーニング作用及び第３のクリーニング作用のために構成された少なくとも２つの機能領域を含む、不織布ハンドパッド。
【請求項２】
第２の機能領域が、第１の擦り磨き機能を有する第１の擦り磨き表面を画定し、第３の機能領域が、第２の擦り磨き機能を有する第２の擦り磨き表面を画定する、請求項１に記載の不織布ハンドパッド。
【請求項３】
前記第２の機能領域が、連続する研磨表面を含み、前記第３の機能領域が、不連続な研磨表面を含む、請求項２に記載の不織布ハンドパッド。
【請求項４】
前記不連続な研磨表面が、パターンで配置された、間隔の空いた擦り磨き体のアレイを含む、請求項３に記載の不織布ハンドパッド。
【請求項５】
前記第２の機能領域が、第１のパターンで配置された、間隔の空いた擦り磨き体の第１のアレイを含み、前記第３の機能領域が、第２のパターンで配置された、間隔の空いた擦り磨き体の第２のアレイを含む、請求項２に記載の不織布ハンドパッド。
【請求項６】
前記第１主表面が研磨粒子を実質的に含まない、請求項５に記載の不織布ハンドパッド。
【請求項７】
前記基材が、前記第１の機能領域を画定した第１の不織布材料を含む、請求項２に記載の不織布ハンドパッド。
【請求項８】
前記第１の不織布材料に固定された不織布バッキング層を更に備える、請求項７に記載の不織布ハンドパッド。
【請求項９】
前記不織布バッキング層が、発泡体材料及び繊維状不織布材料のうちの少なくとも１つを含む、請求項８に記載の不織布ハンドパッド。
【請求項１０】
前記不織布バッキング層が吸収性スポンジ材料を含む、請求項９に記載の不織布ハンドパッド。
【請求項１１】
前記バッキング層に固定された第２の不織布材料を更に備える、請求項８に記載の不織布ハンドパッド。
【請求項１２】
前記第１の不織布材料は、連続する研磨表面を有する、開放性で嵩高の繊維状不織布材料であり、前記第２の不織布材料は、準高密度化層を有する繊維状不織布材料であり、前記準高密度化表面層上に間隔の空いた擦り磨き体の第１のアレイが第１のパターンで配置された、請求項１１に記載の不織布ハンドパッド。
【請求項１３】
前記第１の不織布材料及び前記第２の不織布材料が、同一平面上にある作業表面を含む、請求項１２に記載の不織布ハンドパッド。
【請求項１４】
前記第１主表面及び前記第２主表面のうちの少なくとも一方の上に研磨粒子を更に備える、請求項１３に記載の不織布ハンドパッド。
【請求項１５】
弾性的に圧縮可能で、開放性で、嵩高の繊維状不織布材料を備える、請求項１４に記載の不織布ハンドパッド。